(57)【要約】【課題】単一の素材から成形し構成部材も少なくして作業性が良く製作コストを低廉になしえ、軽量化が図られ取り扱い易く、廃棄処分やリサイクルする場合の分別作業も簡単に行なえるようにした透明板ユニットを提供する。【解決手段】遊技機に配設された遊技盤の前面を覆う透明板ユニットＡであって、透明な硬質高強度合成樹脂により成形され、遊技盤の前面を覆うように並設される一対の透視板１，２と、これら透視板１，２の対向面のうち少なくともいずれか一方に一体に突設される間隔保持突起３と、からなり、間隔保持突起３をこれと対向する透視板１に接着または溶着することにより所定の間隔離して両透視板１，２が固定されるようにした。【選択図】図２
2012000237.tif 000002
【特許請求の範囲】
【請求項１】
遊技機に配設された遊技盤の前面を覆う透明板ユニットであって、
透明な硬質高強度合成樹脂により成形され、
前記遊技盤の前面を覆うように並設される一対の透視板と、これら透視板の対向面のうち少なくともいずれか一方に一体に突設される間隔保持突起と、からなり、前記間隔保持突起をこれと対向する透視板に接着または溶着することにより所定の間隔離して前記両透視板が固定されるようにしたことを特徴とする透明板ユニット。
【請求項２】
遊技機に配設された遊技盤の前面を覆う透明板ユニットであって、
透明な硬質高強度合成樹脂による一体成型により扁平中空形状に成形され、
前記遊技盤の前面を覆うように所定の間隔離し並設される一対の透視板部を備えてなることを特徴とする透明板ユニット。
【発明の詳細な説明】
【技術分野】
【０００１】
本発明は、遊技機に配設された遊技盤の前面を覆う透明板ユニットに関するものである。
【背景技術】
【０００２】
遊技機の代表的なものの一つとして、パチンコ遊技機が知られている。該パチンコ遊技機は、縦長長方形状の機枠と、該機枠の前側に開閉自在に軸着され遊技盤を配設した本体枠と、該本体枠の前面に開閉自在に軸着され中央に遊技盤の遊技部が見られる窓開口を開設した透明板保持枠と、を備えている。そして、前記透明板保持枠の後面には、前記窓開口を塞ぐようにして透明板ユニットが装着される。該透明板ユニットは、前記透明板保持枠の窓開口よりも一回り大きい形状の合成樹脂製の保持枠を挟んでその両側にガラス板を配置すると共に、両ガラス板を保持枠の前・後面に接着することにより一体に形成されている。これにより、所定の間隔離して両ガラス板が固定される（例えば、特許文献１，２）。
【先行技術文献】
【特許文献】
【０００３】
【特許文献１】特開２００３−１３５７８８号公報（第４頁段落００３２、図１乃至３）
【特許文献２】特開２００７−３１９２６８号公報（第４頁段落００２１、図２乃至４）
【発明の概要】
【発明が解決しようとする課題】
【０００４】
しかしながら、前記特許文献１、２に係るパチンコ遊技機にあっては、合成樹脂製の保持枠の前・後面にそれぞれガラス板を接着してなり、合成樹脂製の部材とガラス製の部材とをそれぞれ別々に形成しなくてはならずしかも３部材からなるので、異なる素材のものを扱うことになってそれら製作に手間が掛かるばかりかその組立ても面倒である。このため、その作業性が悪く製作コストも高くつくといった課題が有る。また、２枚ものガラス板を使用していることから重量が嵩んで取り扱い難く、透明板保持枠に大きな荷重が加わることになって好ましいことではない。更に、透明板保持枠が合成樹脂製の保持枠とガラス板という異なる素材の組み合わせからなるので、廃棄処分やリサイクルする場合の分別作業に苦労するといった課題も有る。
【０００５】
そこで、本発明は上記課題を解決すべくなされたもので、単一の素材から成形され構成部材も少ないことから作業性が良く製作コストを低廉になしえ、また、軽量化が図られ取り扱い易く、廃棄処分やリサイクルする場合の分別作業も簡単に行なえるようにした透明板ユニットを提供することを目的とするものである。
【課題を解決するための手段】
【０００６】
かかる目的を達成するために、本発明の透明板ユニットは遊技機に配設された遊技盤の前面を覆う透明板ユニットであって、透明な硬質高強度合成樹脂により成形され、前記遊技盤の前面を覆うように並設される一対の透視板と、これら透視板の対向面のうち少なくともいずれか一方に一体に突設される間隔保持突起と、からなり、前記間隔保持突起をこれと対向する透視板に接着または溶着することにより所定の間隔離して前記両透視板が固定されるようにしたことを特徴とする。
【０００７】
また、本発明の透明板ユニットは遊技機に配設された遊技盤の前面を覆う透明板ユニットであって、透明な硬質高強度合成樹脂による一体成型により扁平中空形状に成形され、前記遊技盤の前面を覆うように所定の間隔離し並設される一対の透視板部を備えてなることを特徴とする。
【発明の効果】
【０００８】
本発明に係る透明板ユニットは、透明な硬質高強度合成樹脂により成形され、遊技盤の前面を覆うように並設される一対の透視板と、これら透視板の対向面のうち少なくともいずれか一方に一体に突設される間隔保持突起と、からなり、間隔保持突起をこれと対向する透視板に接着または溶着することにより所定の間隔離して両透視板が固定されるようにしている。このように、透明板ユニットが単一素材から成形され構成部材も少ないことから、それら製作に手間が掛からずその組立ても簡単であり、その作業性が良く製作コストも低廉に成し得るという効果が有る。また、透明板ユニットは全体に合成樹脂からなるので軽量化が図られ取り扱い易く、透明板保持枠に大きな荷重が加わらないので好適である。更に、廃棄処分やリサイクルする場合の分別作業も簡単に行なえるという効果も有る。
【０００９】
また、透明な硬質高強度合成樹脂による一体成型により扁平中空形状に成形され、遊技盤の前面を覆うように所定の間隔離し並設される一対の透視板部を備えてなる透明板ユニットにあっては、該透明板ユニットが単一の構成部材からなるので製作が極めて簡単になるばかりか組立ての必要もなく、その作業性に優れると共に製作コストを更に低廉に成し得る。また、この場合も透明板ユニットは全体に合成樹脂からなるので軽量化が図られ取り扱い易く、透明板保持枠にも大きな荷重が加わらないので好適である。更に、廃棄処分やリサイクルする場合の分別作業も簡単に行なえるという効果も有る。
【図面の簡単な説明】
【００１０】
【図１】本発明に係る透明板ユニットの斜視図。
【図２】（イ）は同透明板ユニットの組立工程を示す斜視図、（ロ）は同一部の拡大断面図。
【図３】透明板ユニットを透明板保持枠に装着する状態を示す斜視図。
【図４】（イ）は本発明に係る他の透明板ユニットの斜視図、（ロ）は同一部の拡大断面図。
【図５】透明板ユニットを透明板保持枠に装着する状態を示す斜視図。
【発明を実施するための形態】
【００１１】
以下、本発明に係る透明板ユニットの最良の実施の形態について詳しく説明する。まず本発明は、パチンコ遊技機、アレンジボール遊技機、雀球遊技機などの遊技機に適用されるが、このうちその一例としてパチンコ遊技機に適用される場合について説明する。また、本発明の透明板ユニットに使用される透明な合成樹脂としては、例えばエンジニアリングプラスチックのような硬くて強度的に強い硬質高強度合成樹脂が選ばれる。例えば、ポリカーボネート樹脂、アクリル樹脂、ポリプロピレン樹脂がある。
【００１２】
近時、ポリプロピレン樹脂を用いて鋼板の２〜５倍の強度を発揮する硬質高強度合成樹脂が開発されている。該硬質高強度合成樹脂は、高温で溶融したポリプロピレン樹脂を固まらないように融点以下に冷やし過冷却した融液を瞬間的に圧力を加えて一気に押し潰し、ひも状分子を引き伸ばしながら結晶化させるという方法により成形される。このように、ひも状分子が引き伸ばされて結晶化されると、硬質で強度に強い合成樹脂が成形されるというものである。このようにポリプロピレン樹脂から成形され鋼板の２〜５倍の強度を有する硬質高強度合成樹脂であれば、本発明に適用できる合成樹脂として最適である。
【００１３】
図１は本発明に係る透明板ユニットの斜視図、図２（イ）は同透明板ユニットの組立工程を示す斜視図、（ロ）は同一部の拡大断面図である。透明板ユニットＡは、正面から見た場合ほぼ円形状に形成される。これは、後記するように透明板保持枠１０に開設され不図示の遊技盤の前面遊技部を覗く窓開口１１がほぼ円形状に形成されていることによる。そして、透明板ユニットＡは、一対の透視板すなわち前側透視板１と後側透視板２とからなる。これら前側・後側透視板１，２は、例えば射出成型により成形される。
【００１４】
後側透視板２における前側透視板１と対向する前面２ａに、その外周縁に沿って前側透視板１側へ突出する複数個の間隔保持突起３が一体に設けられている。また、前側透視板１における後側透視板２と対向する後面１ａに、前記後側透視板２の外周縁に沿って突設された各間隔保持突起３に対応位置させて該各間隔保持突起３の先端部が嵌入する取付凹部４が凹設されている。これら取付凹部４は、前側透視板１に後側透視板２を取り付ける場合の位置決めの役割も果たしている。後側透視板２の外周端面には、ほぼ等分割される外周４箇所に透明板ユニットＡを透明板保持枠１０の後面に装着するための取付片５が、後側透視板２の前面２ａと平行な面内に位置するようにして突設されている。
【００１５】
そこで、後側透視板２の各間隔保持突起３の先端部に接着剤（図示せず。）を塗布し、前記前側透視板１と後側透視板２をそれぞれ対向位置させ、各間隔保持突起３と各取付凹部４とを向かい合わせた状態で、これらを互いに接近させて各間隔保持突起３の先端部を各取付凹部４に嵌入する。これにより、前側・後側透視板１，２が所定の間隔離しかつ前側から見て重なるように並設される。このようにして製作された透明板ユニットＡは、図３に示すように透明板保持枠１０の後面に装着されることになる。前記各間隔保持突起３と各取付凹部４とは、接着剤を使用せずに間隔保持突起３を取付凹部４に嵌入した状態で、その部位に超音波を当てて溶着するようにしても良い。このようにしても、前側・後側透視板１，２が同様に所定の間隔離しかつ前側から見て重なるように並設される。この実施の形態にあっては、間隔保持突起３を後側透視板２の前面２ａに設けるようにしたが、逆に、前側透視板１の後面１ａに設けるようにしても良い。更には、間隔保持突起３を前側透視板１の後面１ａと後側透視板２の前面２ａとに分けて設けるようにしても良い。
【００１６】
図３に基づき透明板保持枠１０について説明すると、該透明板保持枠１０は不図示のパチンコ遊技機の前面に開閉自在に装着され、専ら遊技盤の遊技部の前側を覆うようにしている。また透明板保持枠１０には、その前側から遊技盤の遊技部が視認できるように大きな円形状の窓開口１１が開設される。そして、透明板保持枠１０の後面に前記窓開口１１を塞ぐようにして透明板ユニットＡが装着される。
【００１７】
更に詳しくは、透明板保持枠１０の後面に、窓開口１１の外周縁に沿って前記透明板ユニットＡの周縁に設けられた各取付片５に対応位置して該各取付片５と係合する係合突片１２が軸着されている。各係合突片１２は透明板保持枠１０に設けられた支軸１３に取着され、支軸１３を中心として指先で透明板保持枠１０の後面に沿って回動させることにより各係合突片１２が自在に回動するようになっている。この場合、圧縮または引張コイルバネ（図示せず。）を支軸１３に巻装して、各係合突片１２により各取付片５を透明板保持枠１０の後面側へ押さえることが好ましい。このようにすれば、透明板ユニットＡががたつくことなくしっかりと固定できる。また、透明板保持枠１０の後面であって前記窓開口１１の下縁外側に、透明板ユニットＡを載せる透明板載台１４が一体に設けられている。そこで、前側透視板１を窓開口１１に宛がうようにして透明板ユニットＡの下面を透明板載台１４の上面に載せ、一時的に保持する。この状態で、各係合突片１２を透明板保持枠１０の後面に沿って所定方向へ回動させ各取付片５に係合させる。
【００１８】
これにより、透明板保持枠１０の後面に透明板ユニットＡが装着される。このようにして透明板ユニットＡが装着された透明板保持枠１０は、不図示のパチンコ遊技機であって遊技盤が配設される本体枠の前面に遊技盤の遊技部の前面を覆うようにして開閉自在に軸着される。遊技者はパチンコ遊技機の前側から窓開口１１更には透明板ユニットＡを通し遊技盤の遊技部を視認することによって、遊技を楽しむことになる。
【００１９】
本発明に係る透明板ユニットＡは、透明な硬質高強度合成樹脂により成形され、遊技盤の前面を覆うように並設される前側透視板１と後側透視板２と、これら前側・後側透視板１，２の対向面のうち少なくともいずれか一方に一体に突設される間隔保持突起３と、からなる。そして、間隔保持突起３をこれと対向する前側透視板１または後側透視板２に接着または溶着することにより、所定の間隔離して前側透視板１と後側透視板２とが固定される。このように、透明板ユニットＡは単一の素材から成形され構成部材も少ないことから、それら製作に手間が掛からずその組立ても簡単である。また、透明板ユニットＡは全体に合成樹脂からなるので、軽量化が図られ取り扱い易い。更に、廃棄処分やリサイクルする場合の分別作業も簡単に行なえる。
【００２０】
次に、本発明に係る他の透明板ユニットＢについて説明する。図４（イ）は本発明に係る他の透明板ユニットの斜視図、（ロ）は同一部の拡大断面図、図５は透明板ユニットを透明板保持枠に装着する状態を示す斜視図である。この他の透明板ユニットＢに使用される素材も透明な樹脂材料、すなわち前記エンジニアリングプラスチックのような硬くて強度的に強い硬質高強度合成樹脂が選ばれる。例えば、ポリカーボネート樹脂、アクリル樹脂、ポリプロピレン樹脂がある。また、前記のようなポリプロピレン樹脂から成形され鋼板の２〜５倍の強度を有する硬質高強度合成樹脂であれば、この場合も最適である。
【００２１】
他の透明板ユニットＢは、正面から見てほぼ正方形に形成される。これは、後記するように透明板保持枠２０に開設され不図示の遊技盤の遊技部を覗く窓開口２１がほぼ正方形状に形成されていることによる。そして、他の透明板ユニットＢは、扁平中空状に形成される。この場合、大きな面積を有する平行な一対の扁平側壁のうち、一方が前側透視板部６ａとなりこれと対向する他方が後側透視板部６ｂとなる。また、これら前側透視板部６ａと後側透視板部６ｂとは所定の間隔離れており、これら前側・後側透視板部６ａ，６ｂ間における各面のうち一側面が開口７し、該開口７が下面となるようにして他の透明板ユニットＢが透明板保持枠２０の後面に装着される。他の透明板ユニットＢは、例えば射出成型により一体に成形される。この場合、前記開口７を設けた一側面と対向する他側面も開口するようにすれば、他の透明板ユニットＢが例えば押出成型により成形されることになる。
【００２２】
前記透明板ユニットＡと同じように他の透明板ユニットＢも前側透視板部６ａと後側透視板部６ｂとの間における両側板部８，８に、他の透明板ユニットＢを透明板保持枠２０の後面に装着するための取付片９がそれぞれ各側板部８につきその上下に位置して突設されている。これら取付片９も、前側透視板部６ａの前面と平行な面内に位置するように突設されている。
【００２３】
透明板保持枠２０の後面には、窓開口２１の外周縁に沿って前記各取付片９と対応位置して該各取付片９と係合する係合突片２２が軸着される。前記と同様に各係合突片２２は透明板保持枠２０に設けられた支軸２３に取着され、支軸２３を中心として指先で透明板保持枠１０の後面に沿って回動させることにより各係合突片２２が自在に回動するようになっている。この場合も、圧縮または引張コイルバネ（図示せず。）を支軸２３に巻装して、各係合突片２２により各取付片９を透明板保持枠２０の後面側へ押さえることが好ましい。このようにすれば、透明板ユニットＢががたつくことなくしっかりと固定できる。また、透明板保持枠２０の後面であって前記窓開口２１の下縁外側に、他の透明板ユニットＢを載せる透明板載台２４が一体に設けられている。そこで、前側透視板部６ａを窓開口２１に宛がうようにして他の透明板ユニットＢの下面を透明板載台２４の上面に載せ、一時的に保持する。この状態で、各係合突片２２を透明板保持枠２０の後面に沿って所定方向へ回動させ各取付片９に係合させる。
【００２４】
これにより、透明板保持枠２０の後面に他の透明板ユニットＢが装着される。このようにして他の透明板ユニットＢが装着された透明板保持枠２０は、不図示のパチンコ遊技機であって遊技盤が配設される本体枠の前面に遊技盤の遊技部の前側を覆うようにして開閉自在に軸着される。遊技者はパチンコ遊技機の前側から窓開口２１更には他の透明板ユニットＢを通し遊技盤の遊技部を視認することによって、遊技を楽しむことになる。
【００２５】
このように、本発明に係る他の透明板ユニットＢは透明な硬質高強度合成樹脂による一体成型により扁平中空形状に成形され、遊技盤の前面を覆うように並設される一対の前側・後側透視板部６ａ，６ｂを備えてなり、単一の構成部材からなるので製作が極めて簡単になるばかりか組立ての必要もない。また、この場合も他の透明板ユニットは全体に合成樹脂材からなるので、軽量化が図られ取り扱い易い。更に、廃棄処分やリサイクルする場合の分別作業も簡単に行なえることになる。
【符号の説明】
【００２６】
１              前側透視板
２              後側透視板
３              間隔保持突起
６ａ            前側透視板部
６ｂ            後側透視板部
Ａ              透明板ユニット
Ｂ              透明板ユニット
【図１】
2012000237.tif 000003
【図２】
2012000237.tif 000004
【図３】
2012000237.tif 000005
【図４】
2012000237.tif 000006
【図５】
2012000237.tif 000007